(57)【要約】【課題】マウス本体と吸汗蓋からなる吸汗マウスを提供する。【解決手段】マウス本体の上表面には凹溝を有し、この凹溝に第一磁気体を設置し、前記吸汗蓋は吸汗布と第二磁気体を含む。第一磁気体と第二磁気体の間の磁気引力により、前記吸汗蓋が前記マウス本体の表面に固着される。【選択図】図３
2008146616.tif 000002
【特許請求の範囲】
【請求項１】
手の掌を支えるための上表面を有し、前記上表面に凹溝を有し前記凹溝に第一磁気体を設置するマウス本体と、
前記凹溝を覆うための汗を吸収する蓋（以下、吸汗蓋と称す）とを含み、
前記吸汗蓋はさらに
前記吸汗蓋の表面を覆う汗を吸収する布（以下、吸汗布と称す）と、
前記吸汗蓋の他面に設置する第二磁気体を含み、
前記第一磁気体と前記第二磁気体の間の磁気引力により前記吸汗蓋が前記マウス本体の前記上表面に固着されることを特徴とする汗を吸収するマウス（以下、吸汗マウスと称す）。
【請求項２】
前記吸汗布の長さは前記吸汗蓋より長く、前記吸汗布の一端を前記吸汗蓋の一端に延ばすようにすることを特徴とする請求項１に記載する吸汗マウス。
【請求項３】
前記吸汗蓋はさらに複数の貫通孔を含むことを特徴とする請求項１に記載する吸汗マウス。
【請求項４】
前記第一磁気体は磁石で前記第二磁気体は金属であることを特徴とする請求項１に記載する吸汗マウス。
【請求項５】
前記吸汗布と前記吸汗蓋が一体に形成することを特徴とする請求項１に記載する吸汗マウス。
【発明の詳細な説明】
【技術分野】
【０００１】
本発明はマウス装置に関し、特に吸汗マウス装置に関する。
【背景技術】
【０００２】
近頃パソコンゲームが流行していることから、特にオンラインゲームにおいてゲームユーザーがますます増加する傾向にある。ゲーム流行の趨勢に呼応して、ユーザーがパソコンゲームをする際のニーズに合うように、パソコンハード並びに周辺機器において何れも大量に新機軸を打ち出している。こうした製品で、ゲーム中にパソコンとユーザーをつなぐ重要な役割を果たしているのがマウスである。パソコンゲームに興じると、ユーザーは長時間マウスを使用する必要があり、更にはゲームの刺激性からユーザーが常にマウスを酷使することとなり、この際手から汗が流れるため、パソコンゲームのユーザーだけでなく、一般に長時間パソコンを操作する仕事に従事するユーザーや手の汗が多い人もこの汗に困惑している。また、マウスのプラスチック構造では汗を吸収し得ないので、手が汗で湿った不快感が一層増す。
【０００３】
マウスが汗でじっとりする厄介な問題を解決するために、参考までに従来の特許を幾つか掲げる。台湾第００４３００９４号特許公開案件では、図１に示すような上蓋を提示している。マウスケース１０に上蓋１１を設けており、この上蓋１１の表面層１２は吸水性の表布からなり、ユーザーの掌に汗が流れた際に、じっとり感を防ぐためにその汗を吸収する。
【０００４】
図２は台湾第００５８５３１９号特許公開案件で提示した使い捨て用防菌保護膜を用いたマウスである。図２において、マウス２０のケース表面に薄膜体２２をセットしているが、薄膜体２２は埃や水分を寄せ付けず、当然汗もそれに含まれる。当該公開案件は薄膜体２２をマウス２０に貼り付けたもので、薄膜体２２のキー領域２３はマウス２０のキー２１の部分にピッタリと合わせた後、底部を粘着剤２４を付けた薄膜体２２とマウス２０を粘着方式で貼り付けている。前記公開案件の実施例において、吸水性の布を薄膜体２２の材質に当てているので、吸水効果が顕れてユーザーの掌を乾燥した状態に保てる。ただ、薄膜体２２は汚れ易く又は壊れ易く、薄膜体２２が使用に耐えられなくなると、マウス２０に張り付けてある薄膜体２２を取外して交換しなければならず、貼り付け用の粘着剤２４がマウス２０の表面に残ってしまい、薄膜体２２を取外した後直接使用すると、ユーザーの掌に粘着剤２４が付着する。薄膜体２２を取外した後、直接新しい薄膜体を粘着剤２４が残っているマウス２０の上に貼り付けると、新しい薄膜体は不均衡な状態となり、新しい薄膜体の表面に凸凹現象が起きる恐れすらある。そこで残留している粘着剤２４を除去すると今度はマウス２０表面を傷める恐れがあり、いっそう美観を損ねることになる。
【０００５】
米国第２００６/０２０９２６号公開案件でもマウス保護膜を提示しており、マウスと保護膜の接着方式は台湾第００５８５３１９号特許公開案件と同様で、即ち粘着方式で保護膜とマウスとを貼り合わせている。
【０００６】
上記における従来の技術では、何れもマウスに吸汗層を設けて手の汗を吸収する概念を提示しており、前記従来の技術は全て粘着方式で吸汗層をマウス表面に固定するよう提案しているが、固着方式では取り外しに不便を来たす欠点があり、ユーザーの利便性が低下する。このため、取外し及び装着が容易な吸汗マウスが必要となる。
【発明の開示】
【発明が解決しようとする課題】
【０００７】
本発明の目的は吸汗マウスを提供することにあり、特に取外し並びに装着が簡便な吸汗マウスである。
【課題を解決するための手段】
【０００８】
好ましい実施例において、本発明は手の掌を支えるための上表面を有し、また上表面に凹溝を有し凹溝に第一磁気体を設置したマウス本体と、凹溝を覆うための吸汗蓋とを含み、吸汗蓋はさらに吸汗蓋の表面をカバーする吸汗布と、吸汗蓋の他面に設置する第二磁気体を含み、第一磁気体と第二磁気体の間の磁気引力により吸汗蓋がマウス本体の上表面に固着される吸汗マウスを提示する。
【０００９】
好ましい実施例において、吸汗布の長さは吸汗蓋より長く、吸汗布の一端を吸汗蓋の一端に延ばす。
【００１０】
好ましい実施例において、吸汗蓋はさらに複数の貫通孔を含む。
【００１１】
好ましい実施例において、第一磁気体は磁石で第二磁気体は金属である。
【００１２】
好ましい実施例において、吸汗布と記吸汗蓋とが一体に形成される。
【発明を実施するための最良の形態】
【００１３】
従来の吸汗マウスの不便性を改善するために、本発明は取り外しに便利な吸汗マウスを提示する。図３は、本発明の吸汗マウスの分解概略図である。図３aでは吸汗マウス３００を開示しており、それはマウス本体３０１並びに吸汗蓋３１０からなる。マウス本体３０１には上表面３０２があり、また上表面３０２には凹溝３０３（上表面３０２はマウスキー及び凹溝３０３の表面全体を包む）を設け、その中に第一磁気体３０４を設置する。図３bで示すように、吸汗蓋３１０には吸汗布３１１があって吸汗蓋３１０の表面をカバーし、吸汗蓋３１０の他表面には第二磁気体が設けられ、且つ吸汗蓋３１０には複数の貫通孔３１３が一面に点在している。
【００１４】
図４で示すように、マウス本体３０１の上表面３０２の凹溝３０３は吸汗蓋３１０をセットするのに用いられ、また凹溝３０３に設けた第一磁気体３０４と吸汗蓋３１０に設けた第二磁気体３１２とは相互に引き合わねばならず、吸汗蓋３１０がマウス本体３０１の凹溝３０３にセットされたとき、第一磁気体３０４と第二磁気体３１２との間には相互に磁気引力が生じ、吸汗蓋３１０とマウス本体３０１とを結合させる。第一磁気体３０４は磁石で、第二磁気体３１２は磁石に吸い付けられる金属である。このほか、凹溝３０２の周囲壁は吸汗蓋３１０と結合して吸汗蓋３１０を固着する。凹溝３０３の周囲壁は吸汗蓋３１０を強化固着させる他に、さらに両磁気体間の磁気引力によって、ユーザーが吸汗マウス３００を使用する際に吸汗蓋３１０が滑って移動するのを防止する。
【００１５】
吸汗蓋３１０上の吸汗布３１１は吸汗性に優れた材質で、吸汗布３１１と吸汗蓋３１０は一体成形方式から成っており、例えば、射出鋳型の修正手段であるＩＭＦ（In  Mold  Forming）技術で完成させている。詳しく説明すると、ＩＭＦは吸汗布３１１でカバーされていない吸汗蓋と吸汗布３１１を射出鋳型中にセットして、射出後に吸汗布３１１は直接吸汗蓋３１０の表面をカバーして保護膜を形成する。吸汗布３１１に関しては、図３bで示すように、その長さが吸汗蓋３１０の長さよりさらに長いので、吸汗マウス３００に吸汗蓋３１０上に固定されていない吸汗布を１枚多く使用して、これを取外し用の布３１４と称する。取外し用の布３１４は吸汗蓋３１０を外す際の応力点としての働きをなし、ユーザーは力を入れずに吸汗蓋３１０をマウス本体３０１から取外すことが出来るのである。
【００１６】
このほか、図３bの吸汗蓋３１０には貫通孔３１３が一面に点在しており、前記貫通孔３１３は吸汗蓋３１０の表面から吸汗蓋３１０を通って他表面へと通じており、空気を前記貫通孔３１３から流通させて換気作用を持たせる。吸汗マウス３００を使用する際、ユーザーの掌から流れ出た汗は吸汗マウスの中の吸汗布３１１によって吸収され、この際吸汗蓋３１０の複数の貫通孔３１３を空気が流通することで、吸汗布３１１の水分を排出する手助けをする。また前記貫通孔３１３は同じ形状で規則的な穴の形をしているのではなく、サイズが異なる不規則形状をなしており、その理由は吸汗蓋３１０の耐久強度を強化するためであり、吸汗蓋３１０本体の弧度と掌が吸汗蓋３１０を下へ押し付ける力等の要素を考慮せねばならず、計算分析した後に図３bに示す不規則形状の複数の貫通孔３１３を導き出したのである。
【００１７】
本発明の吸汗マウス３００のキーポイントは、磁石を使用して生じる磁力がマウス本体３０１と吸汗蓋３１０を互いに引き寄せてぴったりと密着させることにある。図４で示すように、本発明の吸汗マウス３００は組立ての際、吸汗蓋３１０の第二磁気体３１２を凹溝３０３の第一磁気体３０４に近づけるだけで、吸汗蓋３１０は両磁気体の間に生じる磁力によって引き寄せられ、吸汗蓋３１０はマウス本体３０１の上表面３０２の凹溝３０３に吸い付けられて完成された吸汗マウス３００を構成する。また、吸汗マウス３００より吸汗蓋３１０を取外すのはさらに容易で、吸汗布３１１の端の取外し用の布３１４を握り持ち、取外し用の布３１４に磁力方向と相反する作用力を与えれば磁力で吸汗蓋３１０を取外すことが出来る。このほか、吸汗マウス３００を何度か使用して吸汗布３１１を洗浄する必要が生じれば、前述の工程に従って吸汗蓋３１０を取外して直接真水で洗浄した後、吸汗蓋３１０を傍らに置いて自然乾燥させるかドライヤーで乾燥させるかして、マウス本体３０１の上表面３０２に取り付ければまた再度使用できる。吸汗蓋３１０を陰干し或いはドライヤー乾燥させる過程で、吸汗蓋３１０の複数の貫通孔３１３の通気作用によって吸汗蓋３１０の乾燥が加速されるのである。
【００１８】
本発明で提示した吸汗マウスは磁力の磁気引力を利用して吸汗蓋とマウス本体とを結合させたものである。従来の技術と比較して、本発明の吸汗マウスは取り外し後にマウス本体に粘着剤が残留せず、また残留した粘着剤を除去することでマウス表面を傷つけることもなく、高度な取り外し利便性を備えている。コスト面では従来の上蓋若しくは薄膜体等の保護層は何れも洗浄不可能で、摩損が甚だしい時には新しい保護層に交換する必要があり、また、保護層の交換は高価ではないとはいえ、長期間に渡り累積すれば消費コストは相当なものとなる。しかし本発明の吸汗マウスは随時洗浄可能で、従来の技術と比べてもコスト節減というメリットがある。
【００１９】
以上の記述は本発明の技術内容は既に好ましい実施例に過ぎず、本発明の特許申請範囲を限定するものではなく、本発明が開示した趣旨の下で完成させた等価改変若しくは修正についても、全て本案件の特許申請範囲内に含まれるものとする。
【図面の簡単な説明】
【００２０】
【図１】従来の上蓋のあるマウスの概略図である。
【図２】従来の保護膜のあるマウスの概略図である。
【図３】ａは本発明の吸汗マウスの分解概略図であり、ｂは本発明の吸汗蓋の他表面の概略図である。
【図４】本発明の吸汗マウスの組立て概略図である。
【符号の説明】
【００２１】
１０，２０，３０１  マウス
１１    上蓋
１２    上蓋の表面層
２１    キー
２２    薄膜体
２３    キー領域
２４    粘着剤
３００  吸汗マウス
３０２  上端表面
３０３  凹溝
３０４  第一磁気体
３１０  吸汗蓋
３１１  吸汗布
３１２  第二磁気体
３１３  貫通孔
３１４  取外し用の布
【図１】
2008146616.tif 000003
【図２】
2008146616.tif 000004
【図３】
2008146616.tif 000005
【図４】
2008146616.tif 000006